(57)【要約】【課題】浴槽やシャワーの排水から汚水や髪などの異物を分別し、排水管を介して、洗濯機の洗濯槽や水洗トイレ集水タンクや消火栓に供給して有効に利用することができる排水供給切替装置を提供する。【解決手段】浴槽やシャワー洗い場からの排水を排出する管路内に内管を挿入して二重排水管とし、同二重排水管内の内管の一端は、上記浴槽や洗い場の排水口に取付けた排水切替え手段を介して形成される同排水口の開口に接続すると共に、同二重排水管他端の内管は集水タンクに接続し、同集水タンクは洗濯機の洗濯槽や水洗トイレや消火栓に排水を供給する排水管に取り付けたことを特徴とする排水供給切替装置。【選択図】図１
0003116422.tif 000002
【実用新案登録請求の範囲】
【請求項１】
風呂の浴槽から排出される排水を排出する管路内に内管を挿入して二重排水管とし、
同二重排水管の一端は上記浴槽の排水口を開閉する元栓と連結し、同元栓には上記内管に連通する排水穴を穿設し、同排水穴には穴を開閉する副栓を着脱自在に取付けると共に、同二重排水管の他端は汚水排出口に接続し、同二重排水管他端の内管は集水タンクに接続し、同集水タンクは洗濯機の洗濯槽や水洗トイレや消火栓に排水を供給する排水管に取り付けたことを特徴とする排水供給切替装置。
【請求項２】
洗い場から排出される排水を排出する管路内に内管を挿入して二重排水管とし、同二重排水管内の内管の一端は、上記洗い場の排水口に取付けた排水切替えフタを介して形成される同排水口の開口に接続すると共に、同二重排水管の他端は汚水排出口に接続し、同二重排水管他端の内管は集水タンクに接続し、同集水タンクは洗濯機の洗濯槽や水洗トイレや消火栓に排水を供給する排水管に取り付けたことを特徴とする排水供給切替装置。
【請求項３】
前記内管の中途に髪などの異物を捕手するフィルタを取付けたことを特徴とする請求項１若しくは請求項２に記載の排水供給切替装置。
【考案の詳細な説明】
【技術分野】
【０００１】  本考案は、家庭内の風呂、台所、洗面台等から排出される排水や貯水槽の貯留水を水洗トイレの洗浄水や洗濯水、更には消火水や灌水として汚水と分別供給する排水供給切替装置に関する。
【技術背景】
【０００２】水資源の有効利用が求められるなか、家庭内等から排出される排水の再利用が検討されており、特許文献１には、風呂の残り水を洗濯用水及び水洗トイレの洗浄水として再利用するための装置が開示されている。
【０００３】また、本願出願人は、特開２００４−２０４６６４において、残り水（排水）がなくなったときに、水道水への自動切換えを行うようにした排水再利用装置を提案した。
【０００４】
【特許文献１】特開平１０−２０４９４２号公報
【考案が解決しようとする課題】
【０００５】しかしながら、上述の特開平１０−２０４９４２号公報に開示された技術は、風呂の浴槽と残り水を洗濯用水及び水洗トイレの洗浄水として再利用する洗濯機や水洗トイレの排水通路の途中で汚水や髪などの異物を分別除去する必要がある。
【０００６】そこで、本考案が解決しようとする課題は、排水通路の途中で汚水を分別すると共に、髪などの異物も除去して、家庭内の風呂、台所、洗面台等から排出される排水や貯水槽の貯留水を水洗トイレの洗浄水や洗濯水更には、消火水や灌水として分配供給する排水供給切替装置を提供することにある。
【課題を解決するための手段】
【０００７】  上記課題を解決するために、本考案の排水供給切替装置は、風呂の浴槽から排出される排水を排出する管路内に内管を挿入して二重排水管とし、同二重排水管の一端は上記浴槽の排水口を開閉する元栓と連結し、同元栓には上記内管に連通する排水穴を穿設し、同排水穴には穴を開閉する副栓を着脱自在に取付けると共に、同二重排水管の他端は汚水排出口に接続し、同二重排水管他端の内管は集水タンクに接続し、同集水タンクは洗濯機の洗濯槽や水洗トイレや消火栓に排水を供給する排水管に取り付けたことを特徴とする。
【０００８】  洗い場から排出される排水を排出する管路内に内管を挿入して二重排水管とし、同二重排水管内の内管の一端は、上記洗い場の排水口に取付けた排水切替えフタを介して形成される同排水口の開口に接続すると共に、同二重排水管の他端は汚水排出口に接続し、同二重排水管他端の内管は集水タンクに接続し、同集水タンクは洗濯機の洗濯槽や水洗トイレや消火栓に排水を供給する排水管に取付けたことを特徴とする排水供給切替装置で、既設の排水管に内管や排水切替フタ、ゴミ取りフィルターを取付けたことにより、新たに排水管路を新設することなく汚水と異物を分別除去して、家庭内の風呂、台所、洗面台等から排出される排水や貯水槽の貯留水を水洗トイレの洗浄水や洗濯用水その他消火水として分配供給できる。
【考案を実施するための最良の形態】
【０００９】以下、図面に示す実施例に基づき本考案の実施の形態を説明する。【００１０】図１は、本考案に係る排水供給切替装置の一実施例を示す構成図である。図２は排水管１２管路内に内管を挿入した二重排水管の外観図、図３は図１における排水管１２の中途に取付けた排水切替フタ１の開閉様子を示す概略説明図である。【００１１】  図１に図示する如く、本実施例では、洗い場から排出される排水を排出する管路内に内管２を挿入して二重排水管１０とし、内管２の一端は洗い場の排水口５に取付けた排水切替えフタ１に取付けた遮断板１ａの開閉切替操作にて形成される排水口５の集水開口１ｂ若しくは汚水排出開口１ｃに接続し、二重排水管１０の他側は汚水排出口１０ｃに接続すると共に、二重排水管１０他端の内管２は集水タンク８に接続し、更に、集水タンク８は洗濯機の洗濯槽や水洗トイレ９や消火栓に接続した。【００１２】  また内管２の途中にはゴミ取りフィルターＦを取付けた。本実施例では、集水タンク８内の貯水レベルが，洗い場の排水口５の集水口より、上に位置した場合でも、排水を集水タンク８内に供給出来るように、詳細は図示省略のエアー抜き弁とフロートを内在して、エアー吸い込みによる空転も防止できるポンプ強制装置７を接続して集水タンク８に送水可能にした。また、本実施例では図示は省略したが、排水管１０の管路の中途でゴミ取りフィルターＦは着脱できるようにした。【００１３】なお、集水タンク８内の貯水レベルが，洗い場の排水口５の集水口より、常に下に位置する場合は、前述のポンプ強制装置７を取付ける必要はない。    また、本実施例では，風呂の浴槽４から排出される排水を排出する管路内に内管２を挿入して二重排水管１０の一端は浴槽４の排水口４ｃを開閉する元栓３と連結し、更に元栓３には内管２に連通する排水穴２ａを穿設し、排水穴２ａには同穴２ａを開閉する副栓３ａを着脱自在に取付けると共に、同二重排水管１０の他側は汚水排出口１０ｃに接続し、同二重排水管１０他端の内管２は集水タンク８に接続すると共に、同集水タンク８は洗濯機の洗濯槽や水洗トイレ９や消火栓に排水を供給する排水管に取り付けた【００１４】次に、図１〜３を参照し本考案の排水供給切替装置の動作について説明する。
風呂場の浴槽４やシャワーの洗い場排水口５から排出される排水を集めて、通常は洗濯機の洗濯槽や水洗トイレ９の集水タンクや消火栓に供給する排水管の吸水口取付けた排水切替えフタ１の遮断板１ａで汚水排出開口１ｃを遮断して、排水供給先のトイレ用水として送水する。一方，洗い場排水口５から泥水を含んだ排水が二重排水管１０の集水口に流れ込んだ場合は、排水切替えフタ１の遮断板１ａを切り替えて、泥水を含んだ排水を汚水排水開口１ｃから汚水排出管６へ排出する。【００１５】また、風呂の浴槽４から排出される排水を排出する管路内に内管２を挿入した二重排水管１０の一端が浴槽４の排水口４ｃを開閉する元栓３に連結され、更に元栓３に穿設の排水穴２ａを挿入した副栓３ａを抜くと、浴槽４から排出される排水が、内管２を介して集水タンク８に流れ込む。一方、集水タンク８への給水が不要な場合や、浴槽４に沈殿した異物が内管２に流れ込まないように、元栓３を浴槽４の排水口４ｃから取り外すと、不要な排水や汚水は二重排水管１０内と通って，汚水排出管６から排出出来る。  更に、排水管１０の中途に取付けたゴミ取りフィルターＦで排水中の髪などの異物を除去した。【００１６】図１に図示のゴミ取りフィルター３は、二重排水管１０の中途の管路に挿着して排水中の髪などの異物を
除去する着脱可能なゴミ取りフィルターの事例である。【００１７】以上、本考案の実施例では、排水をトイレに供給する例を説明したが、本考案はこの実施例に限定されるものではなく、例えば、排水を洗濯用水その他消火水や灌水として分配供給できることも出来る。上記実施例は、浴槽の排水を集水タンクに給水する例であったが浴槽に溜めた水を排水として、集水タンクに給水できる。
【考案の効果】
【００１８】本考案によれば、排水供給切替装置は、風呂場の浴槽やシャワーから排出される排水を集めて、洗濯機の洗濯槽や水洗トイレ集水タンクや消火栓に供給する排水管の吸水口に排水切替フタや、排水穴を開閉する副栓を着脱自在に取付ける元栓３と、二重排水管内の内管を取付け、排水管の途中にはゴミ取りフィルターを取付けたことにより、既設の排水管路を利用して汚水と異物を分別除去して、家庭内の風呂、台所、洗面台等から排出される排水や貯水槽の貯留水を水洗トイレの洗浄水や洗濯用水その他消火水として分配供給できた。
【図面の簡単な説明】
【００１９】
【図１】本考案の排水供給切替装置の構成図である。
【図２】図２は排水管１２管路内に内管を挿入した二重排水管の外観図である。
【図３】図１における排水口に取付けた排水切替フタを示す概略説明図である。
【符号の説明】
【００２０】１・・・・・・排水切替フタ
１ａ・・・・・遮断板
１ｂ・・・・・集水開口
１ｃ・・・・・汚水排出開口
２・・・・・・内管
２ａ・・・・・排水穴
３・・・・・・元栓
３ａ・・・・・副栓
Ｆ・・・・・・ゴミ取りフィルター
４・・・・・・浴槽
４ｃ・・・・・浴槽の排水口
５・・・・・・洗い場排水口
６・・・・・・汚水排出管
７・・・・・・ポンプ強制装置
８・・・・・・集水タンク
９・・・・・・水洗トイレ
１０・・・・・二重排水管
１０ｃ・・・・汚水排出口
【図１】
0003116422.tif 000003
【図２】
0003116422.tif 000004
【図３】
0003116422.tif 000005